(57)【要約】【課題】撮影した画像を容易に投稿することができる画像投稿方法、この画像投稿方法をコンピュータに実行させるためのプログラム、及び、このプログラムが実装されたデジタルカメラを提供する。【解決手段】デジタルカメラ１００は、撮影モードとキーワードとを対応付けて記憶し、このキーワードをキーにテーマ提供サーバ２００にアクセスして関連する投稿用タイトルを取得する。そして、このデジタルカメラ１００において、画像に付加された撮影モードをキーに収集したタイトルを検索し、何れか一つのタイトルと画像とをテーマ提供サーバに送信して投稿する。【選択図】図１
2010034692.tif 000002
【特許請求の範囲】
【請求項１】
処理部を有し、
画像を投稿するためのタイトルと、当該タイトルに関連するタグ情報とが対応付けられて記憶され、前記タグをキーにして前記タイトルを検索するテーマ検索部、及び、前記タイトルに対して投稿された前記画像を対応付けて記憶する画像登録部を有するテーマ提供サーバと、
撮影時に選択された撮影モードが付加された画像、前記撮影モードに対するキーワード、及び、前記撮影モードに対する前記タイトルが記憶された記憶装置と、にアクセス可能なコンピュータにより実行される画像投稿方法であって、
前記処理部により、
前記撮影モードに対して付加された前記キーワードをキーにして前記テーマ提供サーバの前記テーマ検索部から、当該キーワードと関連する前記タグ情報を有するタイトルを収集し、記憶部に記憶するステップと、
前記記憶部に記憶された画像からいずれか一つを選択するステップと、
前記選択された画像に付加された前記撮影モードに一致する前記タイトルを前記記憶部から取得するステップと、
取得された前記タイトルと前記画像とを前記テーマ提供サーバの前記画像登録部に送信して投稿するステップと、を含む画像投稿方法。
【請求項２】
前記記憶部に記憶された画像からいずれか一つを選択するステップにおいて、
前記撮影モードを選択し、当該撮影モードにより撮影された画像のサムネイルを優先して一覧表示して、選択するように構成された請求項１に記載の画像投稿方法。
【請求項３】
前記記憶部に記憶された画像からいずれか一つを選択するステップにおいて、
前記記憶部に記憶された画像のサムネイルを一覧表示し、かつ、前記画像に付加された前記撮影モードのうち、前記タイトルが前記記憶部に記憶されている撮影モードで撮影された画像を強調して表示して、選択するように構成された請求項１に記載の画像投稿方法。
【請求項４】
請求項１〜３いずれか一項に記載の画像投稿方法をコンピュータに実行させるためのプログラム。
【請求項５】
記憶部と、
撮像光学系、前記撮像光学系により結像された像を検出する撮像素子、及び、前記撮像素子で検出された前記像を画像に変換して前記記憶部に記憶する信号処理部を含む撮像部と、
前記テーマ提供サーバにアクセスするためのネットワークコントローラと、
請求項４に記載のプログラムを実行するＣＰＵと、を有するデジタルカメラ。
【発明の詳細な説明】
【技術分野】
【０００１】
本発明は、画像投稿方法、この画像投稿方法をコンピュータに実行させるためのプログラム、及び、このプログラムが実装されたデジタルカメラに関する。
【背景技術】
【０００２】
ネットワーク上で、撮影依頼や写真コンテストのように、撮影依頼者からテーマが出され、それに対する画像を撮影者がインターネット等を通じて投稿することができるようになっている。また、最近ではＷｉ−Ｆｉなど無線ＬＡＮなどの通信機能を有したデジタルカメラがあり、通信回線を通じてこのデジタルカメラから直接、情報の取得や画像ファイルの投稿ができるようになっている（例えば、特許文献１参照）。
【特許文献１】特開２００６−０７４３６６号公報
【発明の開示】
【発明が解決しようとする課題】
【０００３】
しかしながら、撮影者（画像提供者）がテーマに対する画像を投稿する場合に、テーマの取得は自分でインターネットのサイトにアクセスし、検索単語を手動で入力し検索することで、自分が応えたい若しくは応えることのできるテーマを見つけなければならない。これは非常に面倒であり、欲しいテーマを見つけるのが大変な作業である。また、既に撮影済みの画像郡の中から、テーマにマッチする画像を見つけるのは大変なことである。
【０００４】
本発明はこのような課題に鑑みてなされたものであり、撮影した画像を容易に投稿することができる画像投稿方法、この画像投稿方法をコンピュータに実行させるためのプログラム、及び、このプログラムが実装されたデジタルカメラを提供することを目的とする。
【課題を解決するための手段】
【０００５】
前記課題を解決するために、本発明に係る画像投稿方法は、処理部を有し、画像を投稿するためのタイトルと、当該タイトルに関連するタグ情報とが対応付けられて記憶され、タグをキーにしてタイトルを検索するテーマ検索部、及び、タイトルに対して投稿された画像を対応付けて記憶する画像登録部を有するテーマ提供サーバと、撮影時に選択された撮影モードが付加された画像、撮影モードに対するキーワード、及び、撮影モードに対するタイトルが記憶された記憶装置と、にアクセス可能なコンピュータにより実行される画像投稿方法であって、処理部により、撮影モードに対して付加されたキーワードをキーにしてテーマ提供サーバのテーマ検索部から、当該キーワードと関連するタグ情報を有するタイトルを収集し、記憶部に記憶するステップと、記憶部に記憶された画像からいずれか一つを選択するステップと、選択された画像に付加された撮影モードに一致するタイトルを記憶部から取得するステップと、取得されたタイトルと画像とをテーマ提供サーバの画像登録部に送信して投稿するステップと、を含む。
【０００６】
このような画像投稿方法は、記憶部に記憶された画像からいずれか一つを選択するステップにおいて、撮影モードを選択し、当該撮影モードにより撮影された画像のサムネイルを優先して一覧表示して、選択するように構成されることが好ましい。
【０００７】
あるいは、このような画像投稿方法は、記憶部に記憶された画像からいずれか一つを選択するステップにおいて、記憶部に記憶された画像のサムネイルを一覧表示し、かつ、これらの画像に付加された撮影モードのうち、タイトルが記憶部に記憶されている撮影モードで撮影された画像を強調して表示して、選択するように構成されることが好ましい。
【０００８】
なお、本発明に係る画像投稿方法をコンピュータに実行させるためのプログラムを作成することができ、このプログラムは、記憶媒体又は記憶装置に格納される。また、ネットワークなどを介してデジタル信号として配信される場合もある。このとき、中間的な処理結果はメインメモリ等の記憶装置に一時保管される。
【０００９】
また、本発明に係るデジタルカメラは、記憶部と、撮像光学系、この撮像光学系により結像された像を検出する撮像素子、及び、この撮像素子で検出された像を画像に変換して記憶部に記憶する信号処理部を含む撮像部と、テーマ提供サーバにアクセスするためのネットワークコントローラと、上述のプログラムを実行するＣＰＵと、を有して構成される。
【発明の効果】
【００１０】
本発明に係る画像投稿方法、プログラム、及び、デジタルカメラを以上のように構成すると、撮影モードに対応付けられたキーワードにより、テーマ提供サーバから投稿の為のタイトルを収集することができるので、画像の投稿を容易に行うことができる。
【発明を実施するための最良の形態】
【００１１】
［全体のシステム構成］
以下、本発明の好ましい実施形態について図面を参照して説明する。まず、図１を用いて写真投稿システムの構成について説明する。この写真投稿システムは、テーマ投稿者から投稿されたテーマに対して、そのテーマに合致する写真を投稿するという写真コンテストを管理するシステムである。そのため、この写真投稿システムは、写真コンテストのテーマを提供するテーマ提供サーバ２００と、通信機能を有し、写真コンテストの投稿者が写真撮影を行うデジタルカメラ１００と、写真コンテントにおけるテーマの投稿者が使用するパーソナルコンピュータ３００と、を有し、これはネットワーク（インターネット）５００を介して接続されている。また、デジタルカメラ１００に対して内部データ（モード・キーワード）の登録を行うためのパーソナルコンピュータ４００を有し、このパーソナルコンピュータ４００とデジタルカメラ１００とは、ＵＳＢ等のインタフェースによって接続される。
【００１２】
［テーマ提供サーバの構成］
テーマ提供サーバ２００は、図２に示すように、ネットワーク５００を介して通信を行うネットワークＩ／Ｆ部２０１と、ユーザからの要求（テーマの登録と検索）を受ける要求受付部２０２と、要求受付部２０２からの指示でテーマをテーマデータベース２０６に登録するテーマ登録部２０３と、同様に要求受付部２０２からの指示でテーマデータベース２０６からテーマを検索するテーマ検索部２０４と、テーマに対して投稿された画像を画像格納ディスク２０７及び画像データベース２０８に登録する画像登録部２０５と、を有して構成される。
【００１３】
このテーマ提供サーバ２００において、テーマデータベース２０６には、図３に示すように、テーマ登録テーブル２６１、テーマ・タグ登録テーブル２６２、及び、テーマとテーマ・タグの関連テーブル２６３が設けられている。テーマ登録テーブル２６１は、投稿されたテーマを管理するものであり、図３（ａ）に示すように、投稿されたテーマを識別するための識別情報（テーマＩＤ）が記憶されるテーマＩＤカラム２６１ａ、そのテーマの登録者が記憶される登録者カラム２６１ｂ、テーマの登録日が記憶される登録日カラム２６１ｃ、及び、テーマの内容が自然文の形で登録されるテーマカラム２６１ｄから構成され、テーマ毎に１レコードとして管理される。また、テーマ・タグ登録テーブル２６２は、テーマ登録テーブル２６１に登録されたテーマから抽出されたタグを管理するものであり、図３（ｂ）に示すように、タグを識別するための識別情報（タグＩＤ）が記憶されるタグＩＤカラム２６２ａ、及び、タグ自体が記憶されるタグ名カラム２６２ｂから構成され、タグ毎に１レコードとして管理される。なお、あるテーマから抽出されたタグは、他のテーマから抽出されたタグと同じものが含まれる可能性があるため、図５に示すように、テーマとタグとの関係はＮ：Ｎになる。そのため、テーマとテーマ・タグ関連テーブル２６３を用いてテーマとタグとの関連付けが行われる。ここで、テーマとテーマ・タグ関連テーブル２６３は、図３（ｃ）に示すように、関連付けを識別する識別情報（関連ＩＤ）が記憶される関連ＩＤカラム２６３ａ、テーマＩＤが記憶されるテーマＩＤカラム２６３ｂ、及び、タグＩＤが記憶されるタグＩＤカラム２６３ｃから構成される。
【００１４】
また、テーマに対して投稿された画像は、その画像ファイル毎に画像格納ディスク２０７に記憶され、その情報が画像データベース２０８の画像登録テーブル２８１に記憶される。この画像登録テーブル２８１は、図４に示すように、画像ファイルを識別するための識別情報（イメージＩＤ）が記憶されるイメージＩＤカラム２８１ａ、この画像が投稿されたテーマのテーマＩＤが記憶されるテーマＩＤカラム２８１ｂ、画像のタイトルが記憶される画像タイトルカラム２８１ｃ、画像の投稿者が記憶される投稿者カラム２８１ｄ、及び、画像格納ディスク２０７における画像ファイルの格納先（パス名）が記憶される格納先カラム２８１ｅから構成され、画像毎に１レコードとして管理される。なお、本実施形態にかかる写真投稿システムにおいては、画像はいずれか一つのテーマに対して投稿されるものであるため、図５に示すように、テーマと画像との関係は１：Ｎとなる。
【００１５】
ネットワーク５００を介してテーマ投稿者のパーソナルコンピュータ３００がテーマ提供サーバ２００に接続されると、要求受付部２０２は、パーソナルコンピュータ３００の画面にテーマ投稿用の画面を表示してテーマの登録を受け付ける。そして、投稿者からテーマが入力されると、テーマ登録部２０３は、そのテーマと関連する属性情報をテーマデータベース２０６のテーマ登録テーブル２６１に記憶し、さらに、テーマ（自然文）から例えば形態素解析により名詞を抽出し、当該テーマに対するタグとしてテーマ・タグ登録テーブル２６２に記憶するとともに、テーマとテーマ・タグの関連をテーマとテーマ・タグ関連テーブル２６３に記憶する。なお、上述のようにテーマから抽出されたタグが既にテーマ・タグ登録テーブル２６２に記憶されている場合には、テーマとテーマ・タグの関連テーブル２６３に関連情報だけを記憶する。
【００１６】
一方、ネットワーク５００を介してデジタルカメラ１００がテーマ提供サーバ２００に接続されると、要求受付部２０２は、登録されているテーマをデジタルカメラ１００から検索する機能を提供し、テーマ検索部２０４を介してテーマデータベース２０６を検索してその結果をデジタルカメラ１００に送信する。また、このデジタルカメラ１００から投稿された画像及びその属性情報は、画像登録部２０５を介して画像格納ディスク２０７及び画像データベース２０８に記憶される。このデジタルカメラ１００とテーマ提供サーバ２００との間の詳しい処理については後述する。
【００１７】
［デジタルカメラの構成］
デジタルカメラ１００には、図６に示すように、レリーズボタン１０１、撮影モードを切り替える撮影モードボタン１０２、撮影画像を確認する再生ボタン１０３、後述するようにテーマ提供サーバ２００から受信したテーマを表示するテーマ表示ボタン１０４、メニューを操作するメニューボタン１０５、及び、撮影時や撮影後の画像を表示する表示部１０６を有して構成される。このデジタルカメラ１００には、図７に示すように、レンズ１０７、このレンズ１０７により結像された被写体の像を検出する撮像素子（ＣＣＤ若しくはＣＭＯＳ）１０８、及び、撮像素子１０８から出力される電気信号を処理して画像信号に変換する信号処理部１０９からなる撮像部１１０と、信号処理部１０９から受け取ったデータをＪＰＥＧエンコード処理画像に変換する画像処理部１１５と、全体を統括制御するＣＰＵ１１２と、を有して構成される。また、このデジタルカメラ１００は、ＤＲＡＭ１１７、メモリカード１１８及びデータベース１１９の各種記憶装置を有し、メモリコントローラ１１６により制御される。なお、画像処理部１１５は、ＪＰＥＧ画像を生成する際には、撮影時の撮影モードをＥＸＩF情報として格納する。
【００１８】
撮影時に撮像素子１０８から出力される画像は、信号処理部１０９を介してＬＣＤ制御器１１１に渡され、上述の表示部（例えば、ＬＣＤ）１０６に出力される。同様に、メモリカード１１８等に記憶されている画像もメモリコントローラ１１６及びＬＣＤ制御器１１１を介して表示部１０６に表示される。なお、このデジタルカメラ１００の全体の制御はＣＰＵ１１２で実行されるプログラム（処理部１１２ａ）により制御されている。また、割り込みコントローラ１１３は、各種ボタン１０１〜１０５からの割り込み処理を行い、ＣＰＵ１１２に通知する機器である。
【００１９】
データベース１１９は、撮影モードテーブル、モード・キーワード登録テーブル、取得したテーマを記憶するテーマ登録テーブル、撮影モードと登録テーマの関連テーブル、及び、取得テーマのテーマ・タグ登録テーブルを有する。撮影モードテーブル１９１は、図８（ａ）に示すように、このデジタルカメラ１００における撮影モードの識別情報（モードＩＤ）を管理するモードＩＤカラム１９１ａ、及び、当該モードＩＤに対応する撮影モードが記憶される撮影モードカラム１９１ｂから構成される。モード・キーワード登録テーブル１９２は、図８（ｂ）に示すように、キーワードの識別情報（キーＩＤ）を記憶されるキーＩＤカラム１９２ａ、このキーワードが対応するモードＩＤが記憶されるモードＩＤカラム１９２ｂ、及び、撮影モードに付けられたキーワードが記憶されるモード・キーワード名カラム１９２ｃから構成される。また、テーマ登録テーブル１９３は、図８（ｃ）に示すように、テーマ提供サーバ２００から取得されこのデジタルカメラ１００に登録されたテーマを識別するための識別情報（取得ＩＤ）が記憶される取得ＩＤカラム１９３ａ、当該テーマのテーマ提供サーバ２００での識別情報（テーマＩＤ）が記憶されるテーマＩＤカラム１９３ｂ、そのテーマの登録者が記憶される登録者カラム１９３ｃ、登録された日付が管理される登録日カラム１９３ｄ及びテーマそのものが記憶されるテーマカラム１９３ｅから構成される。
【００２０】
ここで、一つの撮影モードに対しては複数のモード・キーワードを付けることができ、また、ある撮影モードに対して付けられたモード・キーワードを他の撮影モードに付けることも可能である。そのため、図１０に示すように、撮影モードとモード・キーワードはＮ：Ｎに対応するので、図９（ａ）に示すように、撮影モードと登録テーマの関連テーブル１９４でこれらの関係が対応付けられる。なお、この撮影モードと登録テーマの関連テーブル１９４は、これらの関連を識別するための識別情報（関連ＩＤ）が記憶される関連ＩＤカラム１９４ａ、モードＩＤが記憶されるモードＩＤカラム１９４ｂ、及び、対応する取得ＩＤが記憶される取得ＩＤカラム１９４ｃから構成される。一方、テーマ提供サーバ２００から取得したテーマに対しては複数のタグを関連付けることができるので、これらは１：Ｎの関係になる。そのため、取得テーマのテーマ・タグ登録テーブル１９５にこのタグが管理される。このテーマ・タグ登録テーブル１９５は、図９（ｂ）に示すように、タグを識別するための識別情報（タグＩＤ）が管理されるタグＩＤカラム１９５ａ、取得したテーマを識別するための取得ＩＤが記憶される取得ＩＤカラム１９５ｂ、及び、タグ名が記憶されるタグ名カラム１９５ｃから構成される。なお、図１０に示すように、撮影モードと登録したテーマはＮ：Ｎの対応関係を有する。
【００２１】
本デジタルカメラ１００には、上述のように撮影モード毎にモード・キーワードを登録することができるように構成されている。この登録処理は、ＵＳＢインタフェースで接続したパーソナルコンピュータ４００による操作で行う。なお、ＵＳＢ経由のデータの送受信は、図７に示すＵＳＢコントローラ１２０を使って行われる。同様に、このデジタルカメラ１００は、ネットワーク（例えば、無線ＬＡＮ）５００を介してテーマ提供サーバ２００に接続可能に構成されており、この通信はネットワークコントローラ１２１を使って行われる。
【００２２】
［写真投稿の手順］
それでは、図１１〜図１８を用いて、上述のデジタルカメラ１００を用いてテーマ提供サーバ２００に写真を投稿する手順について説明する。
【００２３】
（１）撮影モード毎のモード・キーワードの設定
デジタルカメラ１００は、上述のように複数の撮影モードを有しており、この撮影モード毎に複数のモード・キーワードを登録することができる。このモード・キーワードの登録は、ＵＳＢインタフェースを介して接続されたパーソナルコンピュータ４００からの操作により行うことができる。図１１は、このデジタルカメラ１００を、ＵＳＢを介して接続したときにパーソナルコンピュータ４００に表示されるモード・キーワードの登録画面である。このモード・キーワードの登録画面において、撮影モードフィールド４０１は、カメラに設定できる撮影モードを選択する領域であり、この選択肢は、上述のデータベース１１９に記憶されている撮影モードテーブル１９１から取得されて表示される。撮影モードフィールド４０１で撮影モードが選択されると、当該撮影モードに対して登録されているキーワード名がモード・キーワード登録テーブル１９２から取得され、リストフィールド４０２に表示される。ユーザは、マウス等でリストフィールド４０２に表示されているキーワードを選択し、削除ボタン４０５をクリックすることによりそのキーワードをリスト領域４０２から削除することができる。一方、登録ボタン４０４は、テキストボックス４０３に入力されたキーワードをリスト領域４０２に登録するものである。
【００２４】
デジタルカメラ１００において、撮影モードフィールド４０１で選択された撮影モードに、リストフィールド４０２に表示されているキーワードを設定するためには、カメラに転送ボタン４０６を押下する。これによりＵＳＢ経由でデジタルカメラ１００のデータベース１１９に登録される。
【００２５】
（２）テーマの取得
次に、デジタルカメラ１００からネットワーク５００を介してテーマ提供サーバ２００に接続し、撮影モード毎に設定されたモード・キーワードを使ってテーマをダウンロードする（収集する）方法について図１２を用いて説明する。まず、デジタルカメラ１００は、ネットワーク５００を介してテーマ提供サーバ２００に接続する（ステップＳ６００）。そして、撮影モードテーブル１９１に登録されている撮影モードのうちのいずれか一つを選択し、そのモードＩＤをキーにしてモード・キーワード登録テーブル１９２から当該撮影モードに対して設定されているモード・キーワードを取得し、このモード・キーワードをキーにしてテーマ提供サーバ２００の検索を行う（ステップＳ６１０）。テーマ提供サーバ２００のテーマ検索部２０４は、モード・キーワードを受信するとテーマ・タグ登録テーブル２６２を検索し、モード・キーワードと一致するタグ名があるときは、さらに、そのタグＩＤと関連付けられているテーマＩＤをテーマとテーマ・タグ関連テーブル２６３から抽出、当該テーマＩＤをキーにテーマ登録テーブル２６１を検索して一致するレコードをデジタルカメラ１００に送信する。デジタルカメラ１００は、取得したテーマをテーマ登録テーブル１９３に記憶するとともに、撮影モードとの関係を撮影モードと関連テーマの関連テーブル１９４に記憶する（ステップＳ６２０）。そして、すべての撮影モードに対する処理が終了するまでステップＳ６１０及びステップＳ６２０を繰り返す（ステップＳ６３０）これにより、このデジタルカメラ１００は、撮影モードに設定されたモード・キーワードに対応するテーマをテーマ提供サーバ２００から取得することができる。
【００２６】
なお、テーマの収集は、このデジタルカメラ１００がネットワーク５００を介してテーマ提供サーバ２００にアクセス可能なときに自動的に収集するように構成しても良いし、ユーザがメニューボタン１０５等を操作することにより収集処理を実行するように構成しても良い。
【００２７】
（３）撮影時の処理
図１３に示すように、撮影者がこのデジタルカメラ１００により撮影を実施すると（ステップＳ７００）、例えばＪＰＥＧ形式の画像としてメモリカード１１８に書き出されるが、その撮影画像のＥＸＩＦ情報のエリアに、撮影時に使用した撮影モードが同時に書き込まれる（ステップＳ７１０）。これにより、モード・キーワードや取得したテーマが撮影モードによってリンクされる（図１０を参照）。
【００２８】
（４）テーマの一覧表示
デジタルカメラ１００のテーマ表示ボタン１０４を押下すると、設定中の撮影モードに応じたテーマのみが、撮影モードテーブル１９１、撮影モードと登録テーマの関連テーブル１９４及びテーマ登録テーブル１９３を検索することにより取得され、表示部１０６に表示される。例えば、撮影モードが「スポーツ」の場合、撮影モードテーブル１９１からモードＩＤ＝「２」が特定され、撮影モードと登録テーマの関連テーブル１９４からモードＩＤに「２」が設定されている取得ＩＤが抽出され、さらにこの取得ＩＤに対応するテーマがテーマ登録テーブル１９３から抽出され、図１４に示すように表示される。これらのテーマは、例えば、表示部１０６に上下方向に並んだリスト情報に表示され、図１４に示すように、「○○野球チームが優勝した写真」、「サッカー日本代表の写真」、「ＸＸ日の運動会」のように表示される。
【００２９】
（５）テーマの詳細表示
図１４に示すように、テーマの一覧が表示部１０６に表示されている状態で、メニューボタン１０５を操作して、表示されているタイトルのいずれかを選択すると、図１５に示すように、表示部１０６の上部１０６ｂに選択されたテーマのタイトルや説明が表示され、その下方にメモリカード１１８に記憶されている画像のサムネイル１０６ａが表示される。このとき、選択されたテーマが対応付けられた「撮影モード」と画像のＥＸＩＦ情報のエリアに格納された「撮影モード」とが一致する画像を優先的に表示部１０６の上位に表示し、背景１０６ｃの色も変えて強調する。これにより、テーマにマッチしそうな画像をわかりやすく表示することができる。なお、既にそのテーマ（表示しているテーマ）に投稿済みの画像には、投稿済みマーク１０６ｄを表示する（後述するように、画像のＥＸＩＦ情報のエリアには、投稿したテーマのテーマＩＤが書き込まれており、この情報で判断する）。
【００３０】
（６）サムネイル表示からテーマの表示
デジタルカメラ１００の再生ボタン１０３を押下すると、メモリカード１１８に記憶されている画像のサムネイル２０６ａの一覧を、図１６に示すように、表示部１０６に表示することができる。このとき、画像のＥＸＩＦ情報に書き込まれた「撮影モード」に対応するテーマが、図１０の関係により１件以上存在する場合は、その画像の背景１０６ｅの色を変えて強調表示する。これにより、撮影した画像にマッチしそうなテーマがあることを、分かりやすく表示することができる。なお、テーマに関わらず投稿済みの画像には、投稿済みマーク１０６ｄを表示させても良い。
【００３１】
（７）投稿できるテーマがある場合の画像表示
図１４又は図１５に示したサムネイル表示の状態において、メニューボタン１０５を操作して画像を選択すると、デジタルカメラ１００の表示部１０６に、図１７に示すような画面が表示される。この画面では、選択された画像が画像フィールド１０６ｆに表示され、また、その下方のファイル名フィールド１０６ｇに当該画像のファイル名が表示される。そして、さらに、画面の下部には、テーマ表示フィールド１０６ｈが設けられており、当該画像のＥＸＩＦ情報に格納された「撮影モード」に対応するテーマ（図１０の関係を有するテーマ）が表示される。なお、複数のテーマがある場合は、複数のテーマからいずれかを選択可能に表示される。テーマ表示フィールド１０６ｈに表示されているテーマに投稿する場合には、投稿ボタン１０６ｊを押下する。なお、画像のＥＸＩＦ情報には、既に投稿したテーマのテーマＩＤが設定されているため、既に投稿した画像の場合は、投稿済みマーク１０６ｋが表示される。
【００３２】
（８）画像の投稿処理
図１７に示す画面で投稿ボタン１０６ｊが押下されると、図１８に示すように、当該画像の投稿処理が行われる。まず、投稿する前には、投稿確認メッセージが表示部１０６に表示され、投稿の確認が行われる（ステップＳ８００）。メニューボタン１０５を操作して投稿を選択すると（ステップＳ８１０）、投稿画像のＥＸＩＦ情報に格納された撮影モードを取得し、この撮影モードに対応するモード・キーワードをモード・キーワード登録テーブル１９２から取得する（ステップＳ８２０）。また、投稿するテーマのテーマ・タグを取得テーマのテーマ・タグ登録テーブル１９５から取得し（ステップＳ８３０）、モード・キーワードとタグ名のそれぞれを単語単位でＡＮＤ演算し、その結果抽出された（すなわち、モード・キーワードとタグ名の両方に存在する）単語を画像のＥＸＩＦ情報に格納する（ステップＳ８４０）。例えば、「スポーツ」モードで撮影した場合、モード・キーワードに「野球」、「サッカー」、「テニス」、「運動会」が設定されており、投稿先テーマが「○○野球チームが優勝した写真」だったとすると、テーマ・タグには、「野球」、「チーム」、「優勝」が設定されている。よって、（「野球」「サッカー」「テニス」「運動会」）ＡＮＤ（「野球」「優勝」）＝「野球」となり、この「野球」がＥＸＩＦ情報のタグとして格納される。また、投稿するテーマのテーマＩＤもＥＸＩＦに格納情報として格納される（ステップＳ８５０）。最後に、テーマ提供サーバ２００に接続し（ステップＳ８６０）、選択された画像と投稿するテーマのテーマＩＤをテーマ提供サーバ２００に送信して投稿する（ステップＳ８７０）。なお、ステップＳ８１０で投稿しないが選択された場合はそのまま投稿処理が終了される。
【００３３】
以上説明したように、本実施の形態に係る写真投稿システムによると、デジタルカメラ１００の撮影モード毎にモード・キーワードを登録し、テーマ提供サーバ２００にアクセスしてキーワードと一致するタグを有するテーマをこのデジタルカメラ１００にダウンロードすることができるため、デジタルカメラ１００のユーザは、このユーザ自身が興味を持ちそうなタイトルを簡単に取得することができる。また、撮影した画像に撮影モードを記憶し、この画像からタイトル一覧を表示して投稿することができるため、タイトルに適合する画像を容易に見つけることができ、投稿操作を容易にすることができる。
【図面の簡単な説明】
【００３４】
【図１】本発明に係る写真投稿システムの構成を示す説明図である。
【図２】テーマ提供サーバの構成を示すブロック図である。
【図３】上記テーマ提供サーバにおけるテーマデータベースに記憶されているテーブルの構成を示すデータ構造図であって、（ａ）はテーマ登録テーブルを示し、（ｂ）はテーマ・タグ登録テーブルを示し、（ｃ）はテーマとテーマ・タグの関連テーブルを示す。
【図４】上記テーマ提供サーバにおける画像データベースにおける画像登録テーブルの構造を示すデータ構造図である。
【図５】テーマ、テーマ・タグ及び画像の関係を示す説明図である。
【図６】デジタルカメラの外観を示す説明図である。
【図７】上記デジタルカメラの構成を示すブロック図である。
【図８】上記デジタルカメラのデータベースに記憶されているテーブルの構成を示すデータ構造図であって、（ａ）は撮影モードテーブルを示し、（ｂ）はモード・キーワード登録テーブルを示し、（ｃ）はテーマ登録テーブルを示す。
【図９】上記デジタルカメラのデータベースに記憶されているテーブルの構成を示すデータ構造図であって、（ａ）は撮影モードと登録テーマの関連テーブルを示し、（ｂ）は取得テーマのテーマ・タグ登録テーブルを示す。
【図１０】撮影モード、登録したテーマ、撮影モードのモード・キーワード及び取得テーマのテーマ・タグの関係を示す説明図である。
【図１１】撮影モードに対するモード・キーワードを設定するための画面構成を説明するための説明図である。
【図１２】テーマの取得処理を説明するためのフローチャートである。
【図１３】撮影時の処理を説明するためのフローチャートである。
【図１４】上記デジタルカメラの表示部にテーマの一覧を表示したときを示す説明図である。
【図１５】上記デジタルカメラの表示部に画像のサムネイルを一覧表示させるための表示方法を示す説明図である。
【図１６】上記デジタルカメラの表示部に画像のサムネイルを一覧表示させたときの別の表示方法を示す説明図である。
【図１７】上記デジタルカメラの表示部に画像を表示させるための表示方法を示す説明図である。
【図１８】画像の投稿処理を説明するためのフローチャートである。
【符号の説明】
【００３５】
１００  デジタルカメラ    １１０  撮像部
１１２  ＣＰＵ    １１２ａ  処理部（プログラム）
１１８  メモリカード（記憶装置）    １２１  ネットワークコントローラ
２００  テーマ提供サーバ    ２０４  テーマ検索部    ２０５  画像登録部
【図１】
2010034692.tif 000003
【図２】
2010034692.tif 000004
【図３】
2010034692.tif 000005
【図４】
2010034692.tif 000006
【図５】
2010034692.tif 000007
【図６】
2010034692.tif 000008
【図７】
2010034692.tif 000009
【図８】
2010034692.tif 000010
【図９】
2010034692.tif 000011
【図１０】
2010034692.tif 000012
【図１１】
2010034692.tif 000013
【図１２】
2010034692.tif 000014
【図１３】
2010034692.tif 000015
【図１４】
2010034692.tif 000016
【図１５】
2010034692.tif 000017
【図１６】
2010034692.tif 000018
【図１７】
2010034692.tif 000019
【図１８】
2010034692.tif 000020